(57)【要約】  空気調和機(1)は、ケーシング(10)と、ケーシングの内部に配置されている熱交換器(20)と、ケーシングの内部において、吹出口が熱交換器に向くよう、前記熱交換器の風路一次側に配置されているシロッコファン(30)と、ケーシングの内部において、熱交換器の下方に配置され、熱交換器で発生するドレン水を受けるドレンパン(40)と、ドレン水の飛散を抑制する露飛び抑制部材(50)とを備える。露飛び抑制部材は、吹出口を熱交換器へ向けて延ばした延長線で囲まれる領域の外(M)に配置され、かつ、ドレンパンの内側に配置されている。
2020188793.tif 000002
【特許請求の範囲】
【請求項１】
ケーシングと、  前記ケーシングの内部に配置されている熱交換器と、  前記ケーシングの内部において、吹出口が前記熱交換器に向くよう、前記熱交換器の風路一次側に配置されているシロッコファンと、  前記ケーシングの内部において、前記熱交換器の下方に配置され、前記熱交換器で発生するドレン水を受けるドレンパンと、  前記ドレン水の飛散を抑制する露飛び抑制部材とを備え、  前記露飛び抑制部材は、前記吹出口を前記熱交換器へ向けて延ばした延長線で囲まれる領域の外に配置され、かつ、前記ドレンパンの内側に配置されている空気調和機。
【請求項２】
前記露飛び抑制部材は、板形状の長尺部材である第１抑制部を有し、  前記第１抑制部の長手方向の長さは、前記吹出口の前記シロッコファンの回転軸と平行な長さよりも大きく、  前記第１抑制部は、長手方向が前記回転軸と平行に延び、かつ、当該長手方向の両端部が前記吹出口の外側に位置するよう配置されている請求項１に記載の空気調和機。
【請求項３】
前記第１抑制部は、短手方向が前記ケーシングの上下方向と平行になるよう配置され、下端部は前記領域まで延びている請求項２に記載の空気調和機。
【請求項４】
前記第１抑制部の前記下端部は、前記ドレンパンの縁部のうち前記シロッコファンに最も近い縁部において前記ケーシングの天板に最も近い部分に対して、前記シロッコファンから離れた位置に位置している請求項３に記載の空気調和機。
【請求項５】
前記露飛び抑制部材は、前記吹出口から吹きだされる空気を前記熱交換器側へ導くための第２抑制部を有する請求項２〜４のいずれか一項に記載の空気調和機。
【請求項６】
前記第２抑制部は、前記第１抑制部に対して、前記熱交換器へ近づく方向へ延びている板状部材である請求項５に記載の空気調和機。
【請求項７】
前記第２抑制部は、前記第１抑制部の長手方向の両端部と連続して形成されている請求項５又は６に記載の空気調和機。
【請求項８】
前記第２抑制部は、前記ケーシングの底板側の縁部が前記領域まで延びている請求項５〜７のいずれか一項に記載の空気調和機。
【請求項９】
前記熱交換器は、前記シロッコファンから離れるに従って、前記ケーシングの天板から前記ケーシングの底板に向かって傾斜するよう配置され、前記露飛び抑制部材は、前記ケーシングの前記天板に設けられている請求項１〜８のいずれか一項に記載の空気調和機。
【発明の詳細な説明】
【技術分野】
【０００１】  本発明は、空気調和機に関するものである。
【背景技術】
【０００２】  特許文献１には、室内の天井に吊り下げて設置され、室内の空調を行う室内機が記載されている。この室内機は、熱交換器、シロッコファン、及びドレンパンを備えている。シロッコファンにより、室内機のケーシングの吸入口から室内の空気が吸入される。熱交換器は、シロッコファンにより供給される空気と熱交換を行い、当該空気を冷却若しくは加熱する。熱交換器により空気と冷媒とが熱交換される行程では、空気中の水分が凝縮され、熱交換器からドレン水が滴下する。ドレンパンは、熱交換器から滴下するドレン水を受けるよう配置されている。
【先行技術文献】
【特許文献】
【０００３】
【特許文献１】特開２００９−４１８３６号公報
【発明の概要】
【発明が解決しようとする課題】
【０００４】  特許文献１に記載の熱交換器は、シロッコファンの吹出口とケーシングの吹出口の間に配置されている。そのため、熱交換器で発生するドレン水がシロッコファンの吹出口から吹き出される空気により拡散され、露飛びという現象が発生する。その結果、室内機の内部に配置されている部品に水滴が飛散することがある。また、ドレン水がドレンパンの外側に滴下し、室内機の底面に貯留し、水漏れの要因となる場合もある。このような現象を防止するために、熱交換器の表面をカバー部材で覆い、熱交換器で発生するドレン水が、シロッコファンからの空気により拡散することを抑えることが考えられる。しかしながら、このようなカバー部材を設けると、シロッコファンからの空気の流れの一部が遮蔽されることになるため、熱交換器の熱交換率を維持するためには、シロッコファンの駆動モータの軸動力を上昇させなければならない。【０００５】  本発明は、上記のような課題を解決するためになされたものであり、シロッコファンの軸動力の上昇を抑制しつつ、熱交換器で発生するドレン水の飛散を抑制することができる空気調和機を提供することを目的とする。
【課題を解決するための手段】
【０００６】  本発明に係る空気調和機は、ケーシングと、前記ケーシングの内部に配置されている熱交換器と、前記ケーシングの内部において、吹出口が前記熱交換器に向くよう、前記熱交換器の風路一次側に配置されているシロッコファンと、前記ケーシングの内部において、前記熱交換器の下方に配置され、前記熱交換器で発生するドレン水を受けるドレンパンと、前記ドレン水の飛散を抑制する露飛び抑制部材とを備え、前記露飛び抑制部材は、前記吹出口を前記熱交換器へ向けて延ばした延長線で囲まれる領域の外に配置され、かつ、前記ドレンパンの内側に配置されているものである。
【発明の効果】
【０００７】  本発明に係る空気調和機において、露飛び抑制部材はシロッコファンの吹出口を熱交換器へ向けて延ばした延長線で囲まれる領域の外の配置されているため、露飛び抑制部材により、吹出口から吹き出されて熱交換器へ向かう空気の流れが遮蔽されることはない。従って、露飛び抑制部材の配置に起因して熱交換器の熱交換率が低下することがなく、シロッコファンの軸動力の上昇を招くことが抑制される。さらに、露飛び抑制部材はドレンパンの内側に配置されている。従って、熱交換器で反射される空気の対流に導かれるドレン水がドレンパンの外側に飛散することが露飛び抑制部材により抑制される。すなわち、本発明に係る空気調和機によれば、シロッコファンの駆動モータの軸動力の上昇を抑制しつつ、熱交換器で発生するドレン水の露飛びを抑制することができる。
【図面の簡単な説明】
【０００８】
【図１】実施の形態に係る空気調和機の平面図である。
【図２】実施の形態に係る空気調和機の内部を示す図である。
【図３】実施の形態に係る露飛び抑制部材の斜視図である。
【図４】実施の形態に係る露飛び抑制部材の正面図である。
【図５】実施の形態に係る露飛び抑制部材の側面図である。
【図６】実施の形態に係る露飛び抑制部材の平面図である。
【図７】実施の形態に係る露飛び抑制部材の配置位置を模式的に示す図である。
【図８】実施の形態に係る露飛び抑制部材の配置位置を模式的に示す図である。
【図９】実施の形態に係る露飛び抑制部材の配置位置を模式的に示す図である。
【図１０】本実施の形態に係る露飛び抑制部材を設けない場合の、シロッコファンと熱交換器との間の空気の流れを概念的に示す図である。
【図１１】本実施の形態に係る露飛び抑制部材を設けた場合の、シロッコファンと熱交換器との間の空気の流れを概念的に示す図である。
【図１２】露飛び抑制部材に第２抑制部を設けない場合の、シロッコファンと熱交換器との間の空気の流れを概念的に示す図である。
【図１３】露飛び抑制部材に第２抑制部を設けた場合の、シロッコファンと熱交換器との間の空気の流れを概念的に示す図である。
【図１４】実施の形態に係る露飛び抑制部材の配置位置を模式的に示す図である。
【発明を実施するための形態】
【０００９】  以下に、空気調和機の実施の形態を図面に基づいて詳細に説明する。尚、以下に説明する実施の形態によって本発明が限定されるものではない。また、以下の図面においては各構成部材の大きさ及び形状は実際の装置とは異なる場合がある。
【００１０】実施の形態．  図１は、実施の形態に係る空気調和機の平面図である。空気調和機１は、例えば、空調対象の室内の天井に埋め込んで設置するタイプの室内機である。空気調和機１は、ケーシング１０を有している。ケーシング１０には、吊り金具１１が設けられている。
【００１１】  図２は、実施の形態に係る空気調和機の内部を示す図である。図２は、空気調和機１を図１の線Ａ−Ａの位置で切断し、空気調和機１の内部を図１の右の方向から示している。ケーシング１０の内部には、熱交換器２０と、シロッコファン３０と、ドレンパン４０が配置されている。図２において、シロッコファン３０は後述するモータとの間で切断された状態が示されている。熱交換器２０は、シロッコファン３０から離れるに従って、ケーシング１０の天板１２からケーシング１０の底板１３に向かって傾斜するよう配置されている。シロッコファン３０は、熱交換器２０の風路一次側に配置されている。シロッコファン３０の軸孔３２には、後述するモータのモータ軸が挿入されるようになっている。すなわち、シロッコファン３０は、回転軸が横方向に延びるよう配置されている。また、シロッコファン３０は、後述する吹出口が熱交換器２０に向くよう配置されている。底板１３にはドレンパン４０が配置されている。ドレンパン４０は、底板１３において、熱交換器２０の下方に位置づけられている。ドレンパン４０は、熱交換器２０で発生するドレン水を受けるためのものである。熱交換器２０とシロッコファン３０との間には、露飛び抑制部材５０が配置されている。
【００１２】  図３は、実施の形態に係る露飛び抑制部材の斜視図である。図４は、実施の形態に係る露飛び抑制部材の正面図である。図５は、実施の形態に係る露飛び抑制部材の側面図である。図６は、実施の形態に係る露飛び抑制部材の平面図である。露飛び抑制部材５０は、第１抑制部６０と第２抑制部７０とを有している。第１抑制部６０は、薄板形状の長尺部材である。第２抑制部７０は、突出板７１と突出板７２とを有する。突出板７１は、第１抑制部６０の長手方向の両端部のうちの一方の端部６１に設けられている。突出板７２は、第１抑制部６０の長手方向の両端部のうちの他方の端部６２に設けられている。突出板７１及び突出板７２は、第１抑制部６０に直交する方向において、第１抑制部６０に対し、同じ側に突出している板状部材である。
【００１３】  本実施の形態において、第２抑制部７０の突出板７１は第１抑制部６０の端部６１と連続して形成されており、第２抑制部７０の突出板７２は第１抑制部６０の端部６２と連続して形成されている。突出板７１及び突出板７２は、第１抑制部６０の上端部６３から下端部６４まで延びている。本実施の形態において、第１抑制部６０と第２抑制部７０は一体成型されている。
【００１４】  本実施の形態において、第１抑制部６０及び第２抑制部７０の突出板７１及び突出板７２は、金属材料から成っている。
【００１５】  突出板７１及び突出板７２は、薄板状の部材である。突出板７１は、第１抑制部６０の短手方向に沿って延びる基部７１Ａと、基部７１Ａと連続して形成され、三角形状を有するガイド部７１Ｂとを有している。同様に突出板７２は、第１抑制部６０の短手方向に沿って延びる基部７２Ａと、基部７２Ａと連続して形成され、三角形状を有するガイド部７２Ｂとを有している。図６に示されるように、突出板７１と第１抑制部６０の成す角度αと、突出板７２と第１抑制部６０の成す角度βは、同一である。本実施の形態において、角度α及び角度βは１３５°である。
【００１６】  第１抑制部６０を上下方向に沿って配置したとき、突出板７１のガイド部７１Ｂの上方の縁部の天板１２に対する傾斜角度が、熱交換器２０の天板１２に対する傾斜角度と一致するよう、突出板７１は成型されている。同様に、第１抑制部６０を上下方向に沿って配置したとき、突出板７２のガイド部７２Ｂの上方の縁部の天板１２に対する傾斜角度が、熱交換器２０の天板１２に対する傾斜角度と一致するよう、突出板７２は成型されている。
【００１７】  図７〜図９は、実施の形態に係る露飛び抑制部材の配置位置を模式的に示す図である。図７は、ケーシング１０の内部を図２の矢印Ａの方向から模式的に示している。図８は、ケーシング１０の内部を図２の矢印Ｂの方向から模式的に示している。図８において、熱交換器２０は省略されている。図９は、ケーシング１０の内部を図８の矢印Ｃの方向から模式的に示している。
【００１８】  図８及び図９に示すように、シロッコファン３０には駆動モータ８０が接続されている。駆動モータ８０のモータ軸８１は、図２に示すシロッコファン３０の軸孔３２に挿入される。駆動モータ８０が駆動されると、その回転がモータ軸８１を介してシロッコファン３０に伝達される。
【００１９】  ここで、図７中、破線で示される領域Ｍについて説明する。領域Ｍとは、吹出口３３から吹き出され熱交換器２０へ向かう空気の流れに沿って、吹出口３３を熱交換器２０へ向けて延長した延長線に囲まれる領域である。この領域は、吹出口３３の形状及び向きにより定まる。図７に示すように、本実施の形態において、吹出口３３の上部及び下部は、熱交換器２０へ近づくに従って上方へ傾斜しており、上部の傾斜の角度は、下部の傾斜の角度より大きくなっている。これは、本実施の形態では、羽根車３００が収容されているファンケーシング３０１の舌部３０２が、上方、すなわちケーシング１０の天板１２側に位置するよう、シロッコファン３０が配置されているためである。吹出口３３を熱交換器２０へ向けて延長した延長線は、開口を形成している吹出口３３の内面の角度により定まり、この角度は、ファンケーシング３０１から吹出口３３の開口に至るまでの形状により定まる。このように、本実施の形態において、領域Ｍは、吹出口３３の形状と向きにより定まる。
【００２０】  図７に示すように、露飛び抑制部材５０は、ケーシング１０の天板１２に設けられた断熱材１４に固定されている。露飛び抑制部材５０は、上述の領域Ｍの外に配置されている。露飛び抑制部材５０は、第２抑制部７０の突出板７１及び突出板７２が熱交換器２０の側へ向くよう、配置されている。すなわち、突出板７１及び突出板７２は、第１抑制部６０に対して、熱交換器２０へ近づく方向へ延びている。露飛び抑制部材５０は、熱交換器２０の端部のうちシロッコファン３０側の端部２１、すなわち吹出口３３に最も近くに位置している端部２１と、シロッコファン３０との間に配置されている。
【００２１】  第１抑制部６０は、短手方向がケーシング１０の上下方向と平行になるよう配置されており、その下端部６４は、領域Ｍまで延びている。本実施の形態において、露飛び抑制部材５０が断熱材１４に固定されている個所から第１抑制部６０の下端部６４までの、上下方向と平行な長さは、８０ｍｍ〜１００ｍｍとなっている。
【００２２】  突出板７１のガイド部７１Ｂの下方の縁部は、領域Ｍまで延びている。尚、突出板７２のガイド部７２Ｂの下方の縁部も、同様に領域Ｍまで延びている。換言すると、ガイド部７１Ｂ及びガイド部７２Ｂは、領域Ｍに沿ってシロッコファン３０側へ傾斜している。
【００２３】  露飛び抑制部材５０は領域Ｍの外に配置されているため、吹出口３３から吹き出された空気の熱交換器２０へ向かう対流は、露飛び抑制部材５０により遮断されない。従って、本実施の形態の露飛び抑制部材５０の配置態様によれば、熱交換器２０の熱交換率に影響を及ぼすことがなく、駆動モータ８０の軸動力の上昇を招くことが抑制される。
【００２４】  第１抑制部６０は、ドレンパン４０の内側に位置している。換言すると、天板１２の側から平面視したとき、第１抑制部６０は、ドレンパン４０の縁部のうちシロッコファン３０に最も近い縁部４１に対して、ドレンパン４０の内側に位置している。さらに、第１抑制部６０は、ドレンパン４０の縁部４１の頂点部４１Ａよりもドレンパン４０の内側に位置している。すなわち、第１抑制部６０は、縁部４１においてケーシング１０の天板１２に最も近い部分に対して、シロッコファン３０から離れた位置に位置している。
【００２５】  図８及び図９に示すように、露飛び抑制部材５０は、第１抑制部６０の長手方向が駆動モータ８０のモータ軸８１と平行に、すなわちシロッコファン３０の回転軸と平行に延びるよう配置されている。
【００２６】  図９に示すように、第１抑制部６０の長手方向の長さＬ１は、吹出口３３のシロッコファン３０の回転軸と平行な長さＬ２よりも大きい。本実施の形態において、Ｌ１はＬ２の１．５倍に設定されている。尚、Ｌ１はＬ２の１．５倍よりも大きくてもよい。そして、第１抑制部６０は、第１抑制部６０の長手方向の両端部、すなわち端部６１及び端部６２が、吹出口３３の外側に位置するよう配置されている。
【００２７】  ここで、露飛び抑制部材５０の露飛び抑制の効果について説明する。図１０は、本実施の形態に係る露飛び抑制部材５０を設けない場合の、シロッコファン３０と熱交換器２０との間の空気の流れを概念的に示す図である。図１１は、本実施の形態に係る露飛び抑制部材５０を設けた場合の、シロッコファン３０と熱交換器２０との間の空気の流れを概念的に示す図である。図１０及び図１１は、露飛び抑制部材５０の第１抑制部６０の長手方向の中央付近における空気の流れを示している。シロッコファン３０の吹出口３３から吹き出された空気の一部は熱交換器２０を通過し、残りは熱交換器２０で反射される。図１０に示すように、露飛び抑制部材５０を設けないと、熱交換器２０の端部２１において反射された空気は、シロッコファン３０の側へ導かれる。すなわち、熱交換器２０の端部２１からシロッコファン３０へ向かう空気の対流が発生する。そして、熱交換器２０で発生したドレン水は、この対流に導かれて拡散する。その結果、露飛びが発生し、ドレン水はドレンパン４０の縁部４１を越えて、ドレンパン４０の外方へ飛散する。
【００２８】  これに対し、本実施の形態に係る露飛び抑制部材５０は、第１抑制部６０の長手方向がシロッコファン３０の回転軸と平行に延び、第１抑制部６０の長手方向の長さが、吹出口３３のシロッコファン３０の回転軸と平行な長さの１．５倍に設定されている。従って、図１１に示すように、吹出口３３から吹き出され熱交換器２０の端部２１において反射された空気は露飛び抑制部材５０の第１抑制部６０により遮蔽されるため、シロッコファン３０の側へ導かれることはない。すなわち、熱交換器２０の端部２１からシロッコファン３０へ向かう空気の対流の発生が抑制される。その結果、熱交換器２０で発生したドレン水がシロッコファン３０へ向かって拡散することが抑制される。その結果、露飛びが抑制され、ドレンパン４０の外方へのドレン水の飛散が抑制される。
【００２９】  また、熱交換器２０に反射され第１抑制部６０に遮蔽された空気は、第１抑制部６０の表面に沿ってケーシング１０の底板１３へ導かれる。すなわち、熱交換器２０から第１抑制部６０を介して底板１３へ向かう空気の対流が発生する。熱交換器２０で発生したドレン水は、この対流に導かれて底板１３へ向かって滴下する。本実施の形態においては、第１抑制部６０は、ドレンパン４０の内側に位置している。従って、図１１に示すように、底板１３へ向かって滴下するドレン水がドレンパン４０の外方に飛散することが抑制される。
【００３０】  さらに、第１抑制部６０は、ドレンパン４０の縁部４１の頂点部４１Ａに対して、シロッコファン３０から離れた位置に位置している。従って、底板１３へ向かって滴下するドレン水のドレンパン４０の外方への飛散をより効果的に抑制することができる。
【００３１】  図１２は、露飛び抑制部材５０に第２抑制部７０を設けない場合の、シロッコファン３０と熱交換器２０との間の空気の流れを概念的に示す図である。図１３は、露飛び抑制部材５０に第２抑制部７０を設けた場合の、シロッコファン３０と熱交換器２０との間の空気の流れを概念的に示す図である。図１２及び図１３は、第１抑制部６０の端部６１の近傍における空気の流れを示している。図１４は、実施の形態に係る露飛び抑制部材の配置位置を模式的に示す図である。図１４は、図９と同様、ケーシング１０の内部を図８の矢印Ｃの方向から示している。図１２〜図１４を参照しながら、第２抑制部７０の効果について説明する。
【００３２】  熱交換器２０で反射され、露飛び抑制部材５０に導かれ、第１抑制部６０で遮蔽された空気は、第１抑制部６０の熱交換器２０へ向いている表面に沿って、図１４において白抜きの矢印ＤＲ及び矢印ＤＬで示すように、横方向へ流れる。このとき、第２抑制部７０が設けられていないと、第１抑制部６０の表面で横方向へ流れた空気の一部が、第１抑制部６０の端部６１及び端部６２から、シロッコファン３０が配置されている側へ向かって、回り込む場合がある。そうすると、図１２に示すように、第１抑制部６０で横方向に導かれた空気の一部は、シロッコファン３０へ向かって導かれる。
【００３３】  第２抑制部７０を設けると、吹出口３３から吹き出された空気の一部は、図１４において白抜きの矢印ＥＲ及び矢印ＥＬで示すように、第２抑制部７０の突出板７１及び突出板７２のシロッコファン３０へ向いている面により、熱交換器２０へ向かって導かれる。従って、図１３に示すように、第１抑制部６０で横方向に導かれた空気の一部が、シロッコファン３０が配置されている側へ向かって回り込むことが抑制される。すなわち、第２抑制部７０の突出板７１及び突出板７２は、空気の流れを熱交換器２０の側へ導くエアガイドとして機能する。
【００３４】  さらに、第２抑制部７０を設けることにより、以下の効果が得られる。本実施の形態の空気調和機１のように天井に埋め込むタイプの空気調和機に一般的に用いられるシロッコファン３０の横幅、すなわち上述の回転軸と平行な方向の幅は、図８及び図９に示すように、ケーシング１０の内部空間の横幅よりも非常に短い。従って、シロッコファン３０の吹出口３３の横幅も、ケーシング１０の横幅に比べ非常に短い。そのため、吹出口３３から吹き出される気流は、通風抵抗である熱交換器２０へ向かって広がるように流れる傾向がある。そうすると、熱交換器２０で発生するドレン水の一部は、この気流により、ケーシング１０の内部において、横方向に拡散することになる。しかしながら、本実施の形態によれば、上述のようにエアガイドとして機能する突出板７１及び突出板７２が設けられているため、ドレン水の横方向への拡散が抑制されることとなる。従って、ドレンパン４０の外方にドレン水が飛散し、ケーシング１０の隙間から、空気調和機１の外方へ漏洩することが抑制される。
【００３５】  以上のように、本実施の形態によれば、シロッコファン３０の駆動モータ８０の軸動力の上昇を抑えつつ、熱交換器２０で発生するドレン水の拡散、すなわち露飛びの発生を抑制することができる。
【００３６】  また、本実施の形態によれば、露飛び抑制部材５０を設けることにより、熱交換器２０とシロッコファン３０の間隔を大きくとることなく、ドレン水がシロッコファン３０に飛散することを抑制できる。すなわち、空気調和機１の大型化を抑制しつつ、露飛びを抑制することができる。
【００３７】  本実施の形態において、第２抑制部７０の突出板７１及び突出板７２は、第１抑制部６０と一体成型されているがこれに限るものではない。突出板７１及び突出板７２を、それぞれ第１抑制部６０とは別体のものとしてもよい。この場合、突出板７１及び突出板７２は、例えば、熱交換器２０のフィン等に挟み込むよう固定してもよい。
【００３８】  本実施の形態において、第１抑制部６０、並びに第２抑制部７０の突出板７１及び突出板７２は、金属材料から成っているがこれに限るものではない。例えば、これらの部材は樹脂を成型して構成したものでもよい。
【００３９】  本実施の形態において、第１抑制部６０及び第２抑制部７０は凹凸のない板状部材であるがこれに限るものではない。第１抑制部６０及び第２抑制部７０をウエーブ状に形成してもよい。例えば、上下方向に山部と谷部が交互に連続しているように成型してもよいし、左右方向に山部と谷部が交互に連続しているように成型してもよい。
【００４０】  第１抑制部６０及び第２抑制部７０を上下方向に山部と谷部が交互に連続しているように成型すれば、ドレン水を左右方向へ導くことができ、左右方向へ導かれたドレン水は第２抑制部７０の左右の端部から下方へ滴下する。また、第１抑制部６０及び第２抑制部７０を左右方向に山部と谷部が交互に連続するように成型することにより、ドレン水を下方へ導くことができる。すなわち、第１抑制部６０及び第２抑制部７０をウエーブ状に形成すれば、ウエーブを構成する谷部を導水用の溝若しくは排水用の溝として機能させることができる。また、露飛び防止以外の他の設計上の目的で、第１抑制部６０及び第２抑制部７０をウエーブ状に形成した場合であっても、ウエーブを構成する谷部をドレン水の導水用の溝、若しくは排水用の溝として機能させることができる。
【００４１】  また、第１抑制部６０の熱交換器２０に向く面上及びシロッコファン３０に向く面上の少なくとも一方に、突起物を設けてもよい。同様に、第２抑制部７０の突出板７１及び突出板７２のそれぞれについて、熱交換器２０に向く面上及びシロッコファン３０に向く面上の少なくとも一方に、突起物を設けてもよい。
【００４２】  突起物を設けることにより、第１抑制部６０、突出板７１、及び突出板７２の表面上におけるドレン水の水切れをより向上させることができる。また、露飛び防止以外の他の設計上の目的で、突起物を設けた場合であっても、水切りの効果を得ることができる。
【００４３】  また、第１抑制部６０、突出板７１、及び突出板７２のそれぞれについて、熱交換器２０に向く面に上下方向に延びる溝を形成し、ドレン水をドレンパン４０に導くよう構成してもよい。このような溝を形成することにより、ドレン水をより確実にドレンパン４０へ方向付けることができる。
【符号の説明】
【００４４】  １  空気調和機、１０  ケーシング、１１  吊り金具、１２  天板、１３  底板、１４  断熱材、２０  熱交換器、２１  端部、３０  シロッコファン、３２  軸孔、３３  吹出口、４０  ドレンパン、４１  縁部、４１Ａ  頂点部、５０  露飛び抑制部材、６０  第１抑制部、６１  端部、６２  端部、６３  上端部、６４  下端部、７０  第２抑制部、７１  突出板、７１Ａ  基部、７１Ｂ  ガイド部、７２  突出板、７２Ａ  基部、７２Ｂ  ガイド部、８０  駆動モータ、８１  モータ軸、３００  羽根車、３０１  ファンケーシング、３０２  舌部、Ｍ  領域、α  角度、β  角度。
【図１】
2020188793.tif 000003
【図２】
2020188793.tif 000004
【図３】
2020188793.tif 000005
【図４】
2020188793.tif 000006
【図５】
2020188793.tif 000007
【図６】
2020188793.tif 000008
【図７】
2020188793.tif 000009
【図８】
2020188793.tif 000010
【図９】
2020188793.tif 000011
【図１０】
2020188793.tif 000012
【図１１】
2020188793.tif 000013
【図１２】
2020188793.tif 000014
【図１３】
2020188793.tif 000015
【図１４】
2020188793.tif 000016
【手続補正書】
【提出日】令和3年6月11日(2021.6.11)
【手続補正１】
【補正対象書類名】明細書
【補正対象項目名】０００６
【補正方法】変更
【補正の内容】
【０００６】
本発明に係る空気調和機は、ケーシングと、前記ケーシングの内部に配置されている熱交換器と、前記ケーシングの内部において、吹出口が前記熱交換器に向くよう、前記熱交換器の風路一次側に配置されているシロッコファンと、前記ケーシングの内部において、前記熱交換器の下方に配置され、前記熱交換器で発生するドレン水を受けるドレンパンと、前記ドレン水の飛散を抑制する露飛び抑制部材とを備え、前記露飛び抑制部材は、前記吹出口を前記熱交換器へ向けて延ばした延長線で囲まれる領域の外に配置され、前記ドレンパンの内側に配置され、かつ、前記熱交換器と前記シロッコファンとの間に配置されているものである。
【手続補正２】
【補正対象書類名】特許請求の範囲
【補正対象項目名】全文
【補正方法】変更
【補正の内容】
【特許請求の範囲】
【請求項１】
ケーシングと、
前記ケーシングの内部に配置されている熱交換器と、
前記ケーシングの内部において、吹出口が前記熱交換器に向くよう、前記熱交換器の風路一次側に配置されているシロッコファンと、
前記ケーシングの内部において、前記熱交換器の下方に配置され、前記熱交換器で発生するドレン水を受けるドレンパンと、
前記ドレン水の飛散を抑制する露飛び抑制部材とを備え、
前記露飛び抑制部材は、前記吹出口を前記熱交換器へ向けて延ばした延長線で囲まれる領域の外に配置され、前記ドレンパンの内側に配置され、かつ、前記熱交換器と前記シロッコファンとの間に配置されている空気調和機。
【請求項２】
前記露飛び抑制部材は、板形状の長尺部材である第１抑制部を有し、
前記第１抑制部の長手方向の長さは、前記吹出口の前記シロッコファンの回転軸と平行な長さよりも大きく、
前記第１抑制部は、長手方向が前記回転軸と平行に延び、かつ、当該長手方向の両端部が前記吹出口の外側に位置するよう配置されている請求項１に記載の空気調和機。
【請求項３】
前記第１抑制部は、短手方向が前記ケーシングの上下方向と平行になるよう配置され、下端部は前記領域まで延びている請求項２に記載の空気調和機。
【請求項４】
前記第１抑制部の前記下端部は、前記ドレンパンの縁部のうち前記シロッコファンに最も近い縁部において前記ケーシングの天板に最も近い部分に対して、前記シロッコファンから離れた位置に位置している請求項３に記載の空気調和機。
【請求項５】
前記露飛び抑制部材は、前記吹出口から吹きだされる空気を前記熱交換器側へ導くための第２抑制部を有する請求項２〜４のいずれか一項に記載の空気調和機。
【請求項６】
前記第２抑制部は、前記第１抑制部に対して、前記熱交換器へ近づく方向へ延びている板状部材である請求項５に記載の空気調和機。
【請求項７】
前記第２抑制部は、前記第１抑制部の長手方向の両端部と連続して形成されている請求項５又は６に記載の空気調和機。
【請求項８】
前記第２抑制部は、前記ケーシングの底板側の縁部が前記領域まで延びている請求項５〜７のいずれか一項に記載の空気調和機。
【請求項９】
前記熱交換器は、前記シロッコファンから離れるに従って、前記ケーシングの天板から前記ケーシングの底板に向かって傾斜するよう配置され、前記露飛び抑制部材は、前記ケーシングの前記天板に設けられている請求項１〜８のいずれか一項に記載の空気調和機。
【国際調査報告】
2020188793.tif 000017
2020188793.tif 000018
2020188793.tif 000019
2020188793.tif 000020
2020188793.tif 000021